(57)【要約】【課題】戸当り框の室内側部分と縦枠材の内向き突出部との間に指がはさまれることがないと共に、その戸当り框の室内側部分と縦枠材との間に面内方向の隙間がなく、見栄えが良く、障子全体が反った場合でも障子を確実に閉じることができる建具とする。【解決手段】枠体１０の縦枠材１３に内向き突出部１３ａを設け、内障子２０の戸当り框２４の室内側部分２４ａと内向き突出部１３ａとの間に隙間Ｓ１を形成して指がはさまれないと共に、障子全体が反った場合でも障子を確実に閉じることができるようにし、その室内側部分２４ａに軟質ヒレ２６を設け、この軟質ヒレ２６を内向き突出部１３ａの室外側面と接する或いは重ね合わせて前述の隙間Ｓ１を塞ぐことで見栄え良くした建具。【選択図】図２
2006118171.tif 000002
【特許請求の範囲】
【請求項１】
枠体に障子を面内方向に開閉自在に装着し、その障子の戸当り框を枠体の戸当り枠材に当接して閉じ状態とする建具であって、
障子閉じ状態において前記戸当り枠材の内向き突出部と前記戸当り框の室内側部分との間に面内方向の隙間を形成し、
前記戸当り框の室内側部分に、軽い力で弾性変形する隙間塞ぎ部材を設け、この隙間塞ぎ部材を戸当り枠材の内向き突出部の室外側面と接する或いは重なり合わせることで前記隙間を塞ぐようにしたことを特徴とする建具。
【請求項２】
枠体に障子を面内方向に開閉自在に装着し、その障子の戸当り框を枠体の戸当り枠材に当接して閉じ状態とするで建具あって、
障子閉じ状態において前記戸当り枠材の内向き突出部と前記戸当り框の室内側部分との間に面内方向の隙間を形成し、
前記内向き突出部に、軽い力で弾性変形する隙間塞ぎ部材を設け、この隙間塞ぎ部材を戸当り框の室内側部分に接する或いは重なり合わせることで前記隙間を塞ぐようにしたことを特徴とする建具。
【発明の詳細な説明】
【技術分野】
【０００１】
本発明は、引き違いサッシや上げ下げ窓等の枠体に障子を閉じ位置と開き位置に亘って面内方向に開閉自在に装着した建具に関する。
【背景技術】
【０００２】
特許文献１に、枠体に内障子、外障子を、その戸当り框が縦枠材に当接した閉じ位置と縦枠材から離隔した開き位置に亘って面内方向に開閉自在に装着した引き違いサッシが開示されている。
特許文献２に、枠体に可動障子を下枠材に当接した閉じ位置と下枠材から離隔した開き位置に亘って面内方向に開閉自在に装着した上げ下げ窓が開示されている。
【０００３】
【特許文献１】特公平７−１０９１５１号公報
【特許文献２】特開平９−２２８７５５号公報
【発明の開示】
【発明が解決しようとする課題】
【０００４】
前述した従来の引き違いサッシにおいては、内障子が閉じ状態の時に戸当り框の室内側部分が一方の縦枠材の内向部の室外側面と重なり合い、外障子が閉じ状態の時に戸当り框の室内側部分が他方の縦枠材の内向部の室外側面と重なり合うようにしてある。
前述した従来の上げ下げ窓においては、可動障子が閉じ状態の時に下框、つまり戸当り框の室内側部分が下枠材の立上り部の室外側面と重なり合うようにしてある。
このように引き違いサッシ、上げ下げ窓等の建具においては、内障子、外障子、可動障子（つまり、障子）の戸当り框の室内側部分を、一方の縦枠、他方の縦枠、下枠（つまり、戸当り枠材）の内向部、立上り部（つまり、内向き突出部）の室外側面に重なり合うことで、障子の戸当り框と枠体の戸当り枠材との間に面内方向の隙間が生じないようにして見栄えを良くしている。
【０００５】
このために、室内から障子を閉じ状態とする際に、その障子の戸当り框の室内側部分と戸当り枠材の内向き突出部との間に指がはさまることがある。
特に、戸当り框に手を掛けて障子を閉じ移動して閉じ状態とする際に、その戸当り框から指がはみ出していると、そのはみ出している指が、前述のように戸当り框の室内側部分と戸当り枠材の内向き突出部との間にはさまれることがある。
【０００６】
また、障子は室内と室外の温度差等によって障子全体が反ることがある。
この場合には戸当り框の室内側部分が戸当り枠材の内向き突出部に干渉して障子を確実に閉じることができないことがある。
【０００７】
本発明の目的は、障子閉じ状態において障子の戸当り框と枠体の戸当り枠材との間に面内方向の隙間が生じることがなく、見栄えが良いと共に、障子の戸当り框の室内側部分と戸当り枠材の内向き突出部との間に指がはさまることがなく、しかも障子全体が反った場合でも障子を確実に閉じることができるようにした建具とすることである。
【課題を解決するための手段】
【０００８】
第１の発明は、枠体に障子を面内方向に開閉自在に装着し、その障子の戸当り框を枠体の戸当り枠材に当接して閉じ状態とする建具であって、
障子閉じ状態において前記戸当り枠材の内向き突出部と前記戸当り框の室内側部分との間に面内方向の隙間を形成し、
前記戸当り框の室内側部分に、軽い力で弾性変形する隙間塞ぎ部材を設け、この隙間塞ぎ部材を戸当り枠材の内向き突出部の室外側面と接する或いは重なり合わせることで前記隙間を塞ぐようにしたことを特徴と接する或いはする建具である。
【０００９】
第２の発明は、枠体に障子を面内方向に開閉自在に装着し、その障子の戸当り框を枠体の戸当り枠材に当接して閉じ状態とするで建具あって、
障子閉じ状態において前記戸当り枠材の内向き突出部と前記戸当り框の室内側部分との間に面内方向の隙間を形成し、
前記内向き突出部に、軽い力で弾性変形する隙間塞ぎ部材を設け、この隙間塞ぎ部材を戸当り框の室内側部分に接する或いは重なり合わせることで前記隙間を塞ぐようにしたことを特徴とする建具である。
【発明の効果】
【００１０】
請求項１，２に係る発明によれば、障子閉じ状態において戸当り枠材の内向き突出部と戸当り框の室内側部分との間の隙間が隙間塞ぎ部材で塞がれるので、障子閉じ状態において障子の戸当り框と枠体の戸当り枠材との間に面内方向の隙間が生じることがなく、見栄えが良い。
また、障子閉じ状態で、その障子の戸当り框の室内側部分と戸当り枠材の内向き突出部との間に隙間があるから、その両者の間に指がはさまれることがない。
また、隙間塞ぎ部材は軽い力で弾性変形するから、この隙間塞ぎ部材が指に接触すると弾性変形し、指を傷つけることがない。
また、障子全体が反った場合に戸当り框の室内側部分と戸当り枠材の内向き突出部が干渉することがなく、障子を確実に閉じることができる。
【発明を実施するための最良の形態】
【００１１】
図１は、建具の一種である引き違いサッシの内観図で、枠体１０内に内障子２０と外障子３０が面内方向に開閉自在に装着してある。
前記枠体１０は、上枠材１１と下枠材１２と一方の縦枠材１３と他方の縦枠材１４を方形状に連結してある。
前記内障子２０と外障子３０は、上框２１，３１と下框２２，３２と召合せ框２３，３３と戸当り框２４，３４を方形状に連結し、その内部にガラス２５，３５が装着してある。
前記内障子２０が閉じ状態の時に、その戸当り框２４が一方の縦枠材１３に当接し、その一方の縦枠材１３が内障子２０に対する戸当り枠材である。
前記外障子３０が閉じ状態の時に、その戸当り框３４が他方の縦枠材１４に当接し、その他方の縦枠材１４が外障子３０に対する戸当り枠材である。
【００１２】
図２に示すように、各縦枠材１３，１４は内向き突出部１３ａ，１４ａを有する。
詳しくは、前記一方の縦枠材１３の面外方向室内側部に内向き突出部１３ａを有し、この内向き突出部１３ａは内障子２０の戸当り框２４よりも面外方向室内側寄りである。
前記他方の縦枠材１４の面外方向中間部に内向き突出部１４ａを有し、この内向き突出部１４ａは外障子３０の戸当り框３４よりも面外方向室内側寄りである。
【００１３】
前記内障子２０が閉じ状態の時に、その戸当り框２４の室内側部分２４ａと一方の縦枠材１３の内向き突部１３ａとの間の面内方向の隙間Ｓ１は、一般的な人の指の太さよりも大きく、この両者の間に指をはさむことがないようにしてある。
前記戸当り框２４の室内側部分２４ａ（好ましくは、面内方向一端面）には、軽い力で弾性変形する隙間塞ぎ部材、例えば軟質材によって薄い板状となった軟質ヒレ２６が面内方向で、かつ一方の縦枠材１３に向けて設けてあり、内障子２０を閉じた時に軟質ヒレ２６が内向き突出部１３ａの室外側面と接する或いは重なり合うようにしてある。
【００１４】
このようであるから、軟質ヒレ２６で前述の隙間Ｓ１を塞ぎ、内障子２０の戸当り框２４と一方の縦枠材１３との間に面内方向の隙間が生じないようにできる。
また、内障子２０を閉じた時に軟質ヒレ２６と内向き突出部１３ａとの間に指がはさまれた場合には、その軟質ヒレ２６が弾性変形するので、指を傷つけることがない。
また、内障子２０全体が反った場合でも、前述の隙間Ｓ１があるから戸当り框２４の室内側部分２４ａと一方の縦枠材１３の内向き突出部１３ａが干渉することがなく、しかも軟質ヒレ２６が内向き突出部１３ａと干渉しても弾性変形するので、内障子２０を確実に閉じることができる。
【００１５】
前記外障子３０が閉じ状態の時に、その戸当り框３４の室内側部分３４ａと他方の縦枠材１４の内向き突部１４ａとの間の面内方向の隙間Ｓ２は、一般的な人の指の太さよりも大きく、この両者の間に指をはさむことがないようにしてある。
前記戸当り框３４の室内側部分３４ａ（好ましくは、面内方向一端面）には、軽い力で弾性変形する隙間塞ぎ部材、例えば軟質材によって薄い板状となった軟質ヒレ３６が面内方向で、かつ他方の縦枠材１４に向けて設けてあり、外障子３０を閉じた時に軟質ヒレ３６が内向き突出部１４ａの室外側面と接する或いは重なり合うようにしてある。
【００１６】
このようであるから、軟質ヒレ３６で前述の隙間Ｓ２を塞ぎ、外障子３０の戸当り框３４と他方の縦枠材１４との間に面内方向の隙間が生じないようにできる。
また、外障子３０を閉じた時に軟質ヒレ３６と内向き突出部１４ａとの間に指がはさまれた場合には、その軟質ヒレ３６が弾性変形するので、指を傷つけることがない。
また、前述と同様に外障子３０が反った場合でも、外障子３０を確実に閉じることができる。
【００１７】
前述の各戸当り框２４，３４の好ましい形状について説明する。
前記内・外障子２０，３０の各戸当り框２４，３４は、その室外側部分２４ｂ，３４ｂの面内方向一端部が室内側部分２４ａ、３４ａの面内方向一端部よりも面内方向一方に突出して各縦枠材１３，１４寄りで、内外障子２０，３０を閉じた時に、その室外側部分２４ｂ，３４ｂに設けた引寄せブロック２７，３７が各縦枠材１３，１４の内向き片１３ｂ，１４ｂに当接し、各室内側部分２４ａ，３４ａと各内向き突出部１３ａ，１４ａとの間に大きな面内方向の隙間Ｓ１，Ｓ２が生じるようにしてある。
前記他方の縦枠材１４の内向き突出部１４ａには気密材１４ｃが室外側に向けて取付けてあり、この気密材１４ｃに軟質ヒレ３６が接するようにしてある。
なお、図示はしていないが、前記各軟質ヒレ２６，３６を各縦枠材１３，１４に接するようにしても良い。この場合には各軟質ヒレ２６，３６の先端部を後述するようにほぼＵ字形状とすることが好ましい。
このようにすれば、各戸当り框２４，３４と各縦枠材１３，１４との間の気密性、水密性が向上する。
【００１８】
前記各軟質ヒレ２６，３６は、各戸当り框２４，３４の室内側面と面一に連続することが好ましい。
このようにすれば、軟質ヒレ２６，３６が戸当り框２４，３４の室内側面であるように見えるから、内観の見栄えが良い。
【００１９】
次に、枠体１０、内・外障子２０，３０の具体形状について説明する。
前記一方の縦枠材１３は、アルミ押出形材などの金属製の本体１と、この本体１の室内側に取付けた樹脂押出形材などの樹脂製の室内側部材２を備え、この室内側部材２は室外側片２ａと内向片２ｂと室内側片２ｃでクランク形状で、その室外側片２ａが本体１の室内側部に取付けられ、内向片２ｂが本体１よりも面内方向の内方に突出して内向き突出部１３ａとしてある。
前記他方の縦枠材１４は、アルミ押出形材などの金属製室内側部材３と金属製室外側部材４を断熱材５で連結した断熱形材の本体６と、その金属製室外側部材４の室内寄りと金属製室内側部材３に亘って取付けられた樹脂押出形材などの樹脂製の室内側部材７を備え、この室内側部材７が本体６よりも室内側に突出している。
前記室内側部材７の室外側部分が鉤形に折曲して前述の内向き突出部１４ａを形成している。
【００２０】
前記各戸当り框２４，３４は、アルミ押出形材などの金属製室外側部材２８，３８と樹脂押出形材などの樹脂製室内側部材２９，３９で形成されている。
この樹脂製室内側部材２９，３９の室内側部が前述の室内側部分２４ａ，３４ａで、その面内方向の一端面に軟質ヒレ２６，３６が一体的に設けてある。
例えば、樹脂製室内部材２９，３０を硬質樹脂、軟質ヒレ２６，３６を軟質樹脂として同時に押出し成形する。
【００２１】
前記上枠材１１、下枠材１２は、図示を省略するが前述の他方の縦枠材１４と同様に、断熱形材の本体と、樹脂製室内側部材を備えている。
前記各上框２１，３１、下框２２，３２は、図示を省略するが前述の戸当り框２４，３４と同様に金属製室外側部材と樹脂製室内側部材を備えている。
【００２２】
前記隙間塞ぎ部材は軟質ヒレ２６，３６に限ることはなく、例えば図３に示すように軟質樹脂により薄肉板状の鉤形片８，９とし、この鉤形片８，９を樹脂製室内側部材２９，３９（好ましくは面内方向一端面）に一体的に設けて軽い力で弾性変形するようにしてある。
【００２３】
次に、一方の縦枠材１３と内障子２０の戸当り框２４の第２の実施の形態を説明する。
図４に示すように、一方の縦枠材１３を、アルミ押出形材などの金属製室外側部材４０と金属製室内側部材４１を断熱材４２で連結した断熱形材の本体４３と、その金属製室内側部材４１に取付けた木製部材４４を備えたものとし、その木製部材４４が前述の内向き突出部１３ａを形成する。
戸当り框２４は、アルミ押出型材等の金属製室外側部材４５と木製室内側部材４６を備え、その金属製室外側部材４５が前述の室外側部２４ｂで、木製室内側部材４６が前述の室内側部分２４ａである。
この木製室外側部材４６の面内方向の端面４６ａに前述の軟質ヒレ２６が取付けられる。例えば、軟質ヒレ２６を基片２６ａと先片２６ｂでＬ字形状とし、その基片２６ａを接着、ビス等で前述の端面４６ａに取付け、先片２６ｂを前述の木製部材４４の室外側面４４ａと接する或いは重なり合わせる。
【００２４】
次に、一方の縦枠材１３と内障子２０の戸当り框２４の第３の実施の形態を説明する。
図５に示すように、一方の縦枠材１３を、アルミ押出形材などの金属製室外側部材５０と金属製室内側部材５１を断熱材５２で連結した断熱形材とし、その金属製室内側部材５１の室内側部分を鉤形状として前述の内向き突出部１３ａを形成する。
戸当り框２４は、アルミ押出形材等の金属製室外側部材５３と金属製室内側部材５４を断熱材５５で連結した断熱形材とする。
この金属製室内側部材５４の面内方向の端面５４ａに前述の軟質ヒレ２６を取付ける取付部、例えばアリ溝５６を形成し、このアリ溝５６に軟質ヒレ２６の基部２６ｃを嵌合して取付け、その軟質ヒレ２６の先部２６ｄを内向き突出部１３ａの室外側面と接する或いは重なり合わせる。
【００２５】
次に、一方の縦枠材１３と内障子２０の戸当り框２４の第４の実施の形態を説明する。
図６に示すように、一方の縦枠材１３を、アルミ押出形材などの金属製の一体形状で、その室内側部が鉤形状となって前述の内向き突出部１３ａと有するものとする。
戸当り框２４をアルミ押出形材などの金属製の一体形状で、その室内側部分２４ａの面内方向一端部よりも室外側部分２４ｂの面内方向一端部が面内方向一方に突出した形状とする。
この室内側部分２４ａの面内方向の端面に軟質ヒレ２６を、前述の第３の実施の形態と同様に取付ける。
【００２６】
前述の第２・第３・第４の実施の形態は一方の縦枠材１３と内障子２０の戸当り框２４について説明したが、他方の縦枠材１４と外障子３０の戸当り框３４も同様とすることは勿論である。
また、縦枠材１３，１４の形状、戸当り框２４，３４の形状は前述した第１・第２・第３・第４の組み合わせに限ることはなく、任意の組み合わせとすることができる。
【００２７】
前述の各実施の形態は戸当り框２４，３４に軟質ヒレ２６，３６（つまり隙間塞ぎ部材）を設けたが、縦枠材１３，１４（つまり、戸当り枠材）の内向き突出部１３ａ，１４ａに設け、内障子２０、外障子３０を閉じた時に戸当り框２４，３４の室内側部分２４ａ，３４ａに接する、或いは重なり合うようにしても良い。
例えば、図７に示すように縦枠材１３，１４の樹脂製の室内側部材２，７の内向き突出部１３ａ，１４ａを形成する部分、好ましくはその室外側面に軟質ヒレ２６，３６を一体的に設ける。
内障子２０、外障子３０を閉じると戸当り框２４，３４の樹脂製室内側部材２９，３９、好ましくは面内方向の端面（つまり、室内側部分２４ａ，３４ａ、好ましくは面内方向の端面）に接するようにする。
この場合も、各縦枠材１３，１４及び各戸当り框２４，３４の形状は前述の第１〜第４の実施の形態に示すものとすることができる。
【００２８】
前述の各実施の形態は引き違いサッシであるが、片引きサッシの場合には前述の内障子２０、外障子３０の一方を固定すれば良い。
【００２９】
次に、建具の一種である上げ下げ窓の実施の形態について説明する。
図８に示すように、枠体６０を形成する下枠材６１が戸当り枠材で、その面外方向室内側部に内向き突出部６１ａを有する。
前記枠体６０に面内方向に開閉自在に装着した可動障子６２の下框６３が下枠材６１に当接し、その下框６３が戸当り框である。
前記可動障子６２が下方の閉じ状態の時に、その下框６３の室内側部分６３ａと下枠材６１の内向き突出部６１ａとの間の面内方向の隙間Ｓ３は、一般的な人の指の太さよりも大きく、この両者の間に指をはさむことがないようにしてある。
前記下框６３の室内側部分６３ａには、軽い力で弾性変形する隙間塞ぎ部材、例えば軟質ヒレ６４が下枠材６１に向けて設けてある。前記可動障子６２を閉じた時に軟質ヒレ６４が内向き突出部６１ａの室外側面と接する或いは重なり合うようにしてある。
【００３０】
このようであるから、軟質ヒレ６４で前述の隙間Ｓ３を隠蔽し、下框６３と下枠材６１との間に面内方向の隙間が生じないようにできる。
また、可動障子６２を閉じた時に軟質ヒレ６４と内向き突出部６１ａとの間に指がはさまれた場合には、その軟質ヒレ６４が弾性変形するので、指を傷つけることがない。
【００３１】
この実施の形態では、下枠材６１に室外側気密材６４と室内側気密材６５が装着してある。
前記下框６３の室外側部分６３ｂは室内側部分６３ａよりも面内方向一方（下方）に突出し、その室外側部分６３ｂが室外側気密材６４に圧接して室内側部分６３ａと内向き突出部６１ａとの間に隙間Ｓ３を形成する。
また、前記軟質ヒレ６４が室内側気密材６５に圧接するので、その軟質ヒレ６４の先端部分はほぼＵ字形状に湾曲している。
【００３２】
前記下枠材６１はアルミ押出形材などの金属製室外側部材７０と金属製室内側部材７１を断熱形材７２で連結した断熱形材の本体７３と、その金属製室内側部材７１に取付けた樹脂製の室内側部材７４を備えている。
この室内側部材７４が階段形状に折曲し、その上部が前述の内向き突出部６１ａを形成すると共に、下部に室内側気密材６５が装着してある。
前記下框６３は、アルミ押出形材などの金属製室外側部材７５と樹脂製室内側部材７６を備え、その樹脂製室内側部材７６を硬質樹脂、軟質ヒレ６４を軟質樹脂として同時に押出し成形するようにしてある。
なお、下枠材６１、下框６３は前述した第１・第２・第３・第４の実施の形態に示した縦枠材、戸当り框と同様としても良い。
【図面の簡単な説明】
【００３３】
【図１】引き違いサッシの内観図である。
【図２】第１の実施の形態を示す引き違いサッシの拡大詳細横断面図である。
【図３】第２の実施の形態を示す引き違いサッシの拡大詳細横断面図である。
【図４】一方の縦枠材と内障子の戸当り框の第２の実施の形態を示す横断面図である。
【図５】一方の縦枠材と内障子の戸当り框の第３の実施の形態を示す横断面図である。
【図６】一方の縦枠材と内障子の戸当り框の第４の実施の形態を示す横断面図である。
【図７】第３の実施の形態を示す引き違いサッシの拡大詳細横断面図である。
【図８】上げ下げ窓の実施の形態を示す縦断面図である。
【符号の説明】
【００３４】
１０…枠体、１３…一方の縦枠材（戸当り枠材）、１３ａ…内向き突出部、１４…他方の縦枠材、１４ａ…内向き突出部、２０…内障子、２４…戸当り框、２４ａ…室内側部分、２６…軟質ヒレ（隙間塞ぎ部材）、３０…外障子、３４…戸当り框、３４ａ…室内側部分、３６…軟質ヒレ（隙間塞ぎ部材）、６０…枠体、６１…下枠材（戸当り枠材）、６１ａ…内向き突出部、６２…可動障子、６３…下框（戸当り框）、６３ａ…室内側部分、６４…軟質ヒレ（隙間塞ぎ部材）。
【図１】
2006118171.tif 000003
【図２】
2006118171.tif 000004
【図３】
2006118171.tif 000005
【図４】
2006118171.tif 000006
【図５】
2006118171.tif 000007
【図６】
2006118171.tif 000008
【図７】
2006118171.tif 000009
【図８】
2006118171.tif 000010